(57)【要約】【課題】従来のガゼットパウチを使用し、噴射ノズル配置場所までの搬送コンベアを利用し、簡単な構造に構成することにより、ガゼットパウチの搬送ベルト上での向きを変更させ、ガゼットパウチの表面上の水滴を除去する。【解決手段】内容物を充填した略直方体状のガゼットパウチＸで、前面あるいは後面がコンベア上に載置される搬送コンベア装置１を使用し、搬送コンベア２は、上段コンベア２ａと、下段コンベア２ｂからなり、両コンベアは、段差αを設け、下段コンベアは、上段コンベアの幅よりも幅広とし、上段コンベア上のガゼットパウチの向きを、順次、強制変更させる上部強制変更手段３を用い、搬送されて来る前記ガゼットパウチを、強制的に反転・落下させ、落下した下段コンベア上で、向きを変えたガゼットパウチの左右側面が垂直方向に向くよう起立させ搬送させることを特徴とする搬送中のガゼットパウチの自動向き変え方法。【選択図】  図１
2017081579.tif 000002
【特許請求の範囲】
【請求項１】
内容物を充填した略直方体状のガゼットパウチ（Ｘ）であって、該ガゼットパウチの前面あるいは後面がコンベア上に載置されて順次、搬送される搬送コンベア装置（１）を使用し、
搬送コンベア（２）は、上段コンベア（２ａ）と、下段コンベア（２ｂ）からなり、
これら、上・下段コンベア（２ａ）（２ｂ）は、適宜の段差（α）を形成して設け、
且つ、該下段コンベア（２ｂ）は、該上段コンベア（２ａ）の幅よりも幅広に形成し、  上段コンベア（２ａ）上に搭載・搬送する各前記ガゼットパウチ（Ｘ）の向きを、順次、強制変更させる上部強制変更手段（３）を用い、
搬送されて来る前記ガゼットパウチ（Ｘ）を、強制的に反転・落下させ、
前記ガゼットパウチ（Ｘ）が落下した下段コンベア（２ｂ）上で、向きを変えたガゼットパウチ（Ｘ）の左右側面が垂直方向に向くよう起立させ搬送させる
ことを特徴とする搬送中のガゼットパウチの自動向き変え方法。
【請求項２】
内容物を充填した略直方体状のガゼットパウチ（Ｘ）であって、該ガゼットパウチの前面あるいは後面がコンベア上に載置されて順次、搬送される搬送コンベア装置（１）を使用し、
搬送コンベア（２）は、上段コンベア（２ａ）と、下段コンベア（２ｂ）からなり、
これら、上・下段コンベア（２ａ）（２ｂ）は、適宜の段差（α）を形成して設け、
且つ、該下段コンベア（２ｂ）は、該上段コンベア（２ａ）の幅よりも幅広に形成し、  上段コンベア（２ａ）上に搭載・搬送する各前記ガゼットパウチ（Ｘ）の向きを、順次、強制変更させる上部強制変更手段（３）を用い、
搬送されて来る前記ガゼットパウチ（Ｘ）を、強制的に反転・落下させ、
前記ガゼットパウチ（Ｘ）が落下した下段コンベア（２ｂ）上で、向きを変えたガゼットパウチ（Ｘ）の左右側面が垂直方向に向くよう起立させ搬送させ、
前記下段コンベア（２ｂ）上には、向きを変えたガゼットパウチ（Ｘ）の搬送方向を規制する下部強制変更手段（４）を設け、
左右側面が垂直方向に起立させた前記ガゼットパウチ（Ｘ）を、下段コンベア（２ｂ）上の中央部に集めるよう移動を規制して搬送する
ことを特徴とする搬送中のガゼットパウチの自動向き変え方法。
【請求項３】
前記上部強制変更手段（３）が、上段コンベア（２ａ）の中央部から両端に向けて拡がるＶ字状に形成されたＶ字状フレーム、あるいは２本のフレームでＶ字状に並設したものから選ばれた
ことを特徴とする請求項１または２記載の搬送中のガゼットパウチの自動向き変え方法。
【請求項４】
前記下部強制変更手段（４）が、下段コンベア（２ｂ）の両端部から中央部に向かって狭くなる略ハ字状のフレーム、あるいは両フレーム先端部が相対向するフレームと平行に形成した略へ字状のフレームを対称に併設したフレームから選ばれた
ことを特徴とする請求項２記載の搬送中のガゼットパウチの自動向き変え方法。
【請求項５】
上段コンベア（２ａ）を搬送中の前記ガゼットパウチ（Ｘ）が、前記上部強制変更手段（３）により、下段コンベア（２ｂ）上に自動的に９０°反転させて落下させ搬送させる  ことを特徴とする請求項２記載の搬送中のガゼットパウチの自動向き変え方法。
【発明の詳細な説明】
【技術分野】
【０００１】
この発明は、搬送中のガゼットパウチの自動向き変え方法に関するものである。
【背景技術】
【０００２】
従来、ガゼットパウチは、飲料ゼリーに代表される清涼飲料水のパッケージに使用されており、内容物を該ガゼットパウチに充填後、ボイル・冷却工程を経なければならず、その工程後は、該ガゼットパウチ表面に水滴が付着しているため、除水作業が必要となる。  
【０００３】
しかし、通常の平パウチは搬送中、上・下からの空圧（圧縮空気によって水滴を吹き飛ばす）噴射して水滴を簡単に除去できるが、しかし、内容物を充填したガゼットパウチは、左右の折り込み部分に窪みができるため、水滴の除去はできないものであった。
【０００４】
そのため、搬送されて来るガゼットパウチの左右にも噴射ノズルを取り付け、除水する装置が考案されているが、上・下、左・右にノズルが必要となるばかりか、２列またはそれ以上の多列搬送には対応できないものでった。
【０００５】
そのため、水滴が付着することを防止できるスパウト付きパウチ容器は存在している。例えば、特許文献１のように。
【先行技術文献】
【特許文献】
【０００６】
【特許文献１】特開２００５−１３２３９８号公報
【０００７】
しかし、このような構造のパウチ容器は、袋本体を構成する多層フィルムの内側フィルムと外側フィルムの間に空隙層を形成した特殊なフィルムを使用するものであり、コスト的に経済的でなかった。
【発明の概要】
【発明が解決しようとする課題】
【０００８】
そこで、従来の汎用のガゼットパウチを使用し、噴射ノズルの配置場所までの搬送コンベアを利用し、簡単な構造に構成することにより、ガゼットパウチの搬送ベルト上での向きを変更させることにより、ガゼットパウチの表面上の水滴を除去できる搬送中のガゼットパウチの自動向き変え方法を開発・提供することにある。
【課題を解決するための手段】
【０００９】
この発明の搬送中のガゼットパウチの自動向き変え方法は、
内容物を充填した略直方体状のガゼットパウチであって、該ガゼットパウチの前面あるいは後面がコンベア上に載置されて順次、搬送される搬送コンベア装置を使用し、
搬送コンベアは、上段コンベアと、下段コンベアからなり、
これら、上・下段コンベアは、適宜の段差を形成して設け、
且つ、該下段コンベアは、該上段コンベアの幅よりも幅広に形成し、
上段コンベア上に搭載・搬送する各前記ガゼットパウチの向きを、順次、強制変更させる上部強制変更手段を用い、
搬送されて来る前記ガゼットパウチを、強制的に反転・落下させ、
前記ガゼットパウチが落下した下段コンベア上で、向きを変えたガゼットパウチの左右側面が垂直方向に向くよう起立させ搬送させる
ことを特徴とする。
【００１０】
また、
内容物を充填した略直方体状のガゼットパウチであって、該ガゼットパウチの前面あるいは後面がコンベア上に載置されて順次、搬送される搬送コンベア装置を使用し、
搬送コンベアは、上段コンベアと、下段コンベアからなり、
これら、上・下段コンベアは、適宜の段差を形成して設け、
且つ、該下段コンベアは、該上段コンベアの幅よりも幅広に形成し、
上段コンベア上に搭載・搬送する各前記ガゼットパウチの向きを、順次、強制変更させる上部強制変更手段を用い、
搬送されて来る前記ガゼットパウチを、強制的に反転・落下させ、
前記ガゼットパウチが落下した下段コンベア上で、向きを変えたガゼットパウチの左右側面が垂直方向に向くよう起立させ搬送させ、
前記下段コンベア上の向きを変えたガゼットパウチの搬送方向を規制する下部規制変更手段を設け、
左右側面が垂直方向に起立させた前記ガゼットパウチを、下段コンベア上の中央部に集めるよう移動を規制して搬送する
ことを特徴とする。
【００１１】
そして、
前記上部強制変更手段が、上段コンベアの中央部から両端に向けて拡がるＶ字状に形成されたＶ字状フレーム、あるいは２本のフレームでＶ字状に並設したものから選ばれた
ことを特徴とする。
【００１２】
さらに、
前記下部規制変更手段が、下段コンベアの両端部から中央部に向かって狭くなる略ハ字状のフレーム、あるいは両フレーム先端部が相対向するフレームと平行に形成した略へ字状のフレームを対称に併設したフレームから選ばれた
ことを特徴とする。
【００１３】
また、
上段コンベアを搬送中の前記ガゼットパウチが、前記上部強制変更手段により、下段コンベア上に自動的に９０°反転させて落下させ搬送させる
ことを特徴とする。
【発明の効果】
【００１４】
この発明によると、内容物を充填したガゼットパウチを搬送の途中で、ガゼットパウチの側面が垂直方向に向くよう、自動的に強制・落下させて搬送するようにしたことにより、ガゼットパウチの左右側面の折り込み部分に溜まった水滴を上・下ノズルで除去できる等の有益なる効果を奏するものである。
【図面の簡単な説明】
【００１５】
【図１】この発明の一実施例を示し、（Ａ）は、平面図であり、（Ｂ）は、正面図である。
【図２】この発明に使用するガゼットパウチの一実施例を示し、（Ａ）は、横向きの状態を示す斜視図であり、（Ｂ）は、縦向きの状態を示し斜視図である。
【発明を実施するための形態】
【００１６】
以下、この発明について詳細に説明する。尚、この発明においては、以下の記述に限定されるものではなく、この考案の要旨を逸脱しない範囲においては適宜変更可能である。
【実施例】
【００１７】
先ず、この発明の一実施例を図面に基づいて詳述すると、内容物を充填した略直方体状のガゼットパウチ（Ｘ）であって、該ガゼットパウチの前面あるいは後面がコンベア上に載置されて順次、搬送される搬送コンベア装置（１）を使用し、搬送コンベア（２）は、上段コンベア（２ａ）と、下段コンベア（２ｂ）からなり、これら、上・下段コンベア（２ａ）（２ｂ）は、適宜の段差（α）を形成して設け、且つ、該下段コンベア（２ｂ）は、該上段コンベア（２ａ）の幅よりも幅広に形成し、上段コンベア（２ａ）上に搭載・搬送する各前記ガゼットパウチ（Ｘ）の向きを、順次、強制変更させる上部強制変更手段（３）を用い、搬送されて来る前記ガゼットパウチ（Ｘ）を、強制的に反転・落下させ、前記ガゼットパウチ（Ｘ）が落下した下段コンベア（２ｂ）上で、向きを変えたガゼットパウチ（Ｘ）の左右側面が垂直方向に向くよう起立させ搬送させることを特徴とする搬送中のガゼットパウチの自動向き変え方法から構成されるものである。
【００１８】
次に、この発明の他の実施例を図面に基づいて詳述すると、内容物を充填した略直方体状のガゼットパウチ（Ｘ）であって、該ガゼットパウチの前面あるいは後面がコンベア上に載置されて順次、搬送される搬送コンベア装置（１）を使用し、搬送コンベア（２）は、上段コンベア（２ａ）と、下段コンベア（２ｂ）からなり、これら、上・下段コンベア（２ａ）（２ｂ）は、適宜の段差（α）を形成して設け、且つ、該下段コンベア（２ｂ）は、該上段コンベア（２ａ）の幅よりも幅広に形成し、上段コンベア（２ａ）上に搭載・搬送する各前記ガゼットパウチ（Ｘ）の向きを、順次、強制変更させる上部強制変更手段（３）を用い、搬送されて来る前記ガゼットパウチ（Ｘ）を、強制的に反転・落下させ、前記ガゼットパウチ（Ｘ）が落下した下段コンベア（２ｂ）上で、向きを変えたガゼットパウチ（Ｘ）の左右側面が垂直方向に向くよう起立させ搬送させ、前記下段コンベア（２ｂ）上の向きを変えたガゼットパウチ（Ｘ）の搬送方向を規制する下部強制変更手段（４）を設け、左右側面が垂直方向に起立させた前記ガゼットパウチ（Ｘ）を、下段コンベア（２ｂ）上の中央部に集めるよう移動を規制して搬送することを特徴とする搬送中のガゼットパウチの自動向き変え方法から構成されるものである。
【００１９】
なお、前記上部強制変更手段（３）の一例としては、上段コンベア（２ａ）の中央部から両端に向けて拡がるＶ字状に形成されたＶ字状フレームであり、該フレームは、上面視で、上段コンベア（２ａ）上を外れても、外部方向に延長して設け、後述の保護枠（５ａ）（５ｂ）との隙間の幅（β）は保持し、前記ガゼットパウチ（Ｘ）が通過可能に形成している。当然、上段コンベア（２ａ）には固定されておらず、該上段コンベア（２ａ）より浮いて設けられており、該上段コンベア（２ａ）の上部に位置する機台を構成するフレーム枠（１ａ）に固定されて設けられている。
【００２０】
さらに、前記上部強制変更手段（３）の他の例としては、２本のフレームで、Ｖ字状に並設して形成したものであってもよい。また、フレームの素材は、金属、合成樹脂、木材等である。
【００２１】
そして、これら上段コンベア（２ａ）の末端部付近には、ガゼットパウチ（Ｘ）が、該上段コンベア（２ａ）上より外部に落下しないよう、上段コンベア（２ａ）の両端部に保護枠（５ａ）（５ｂ）を設けると共に、前記上部強制変更手段（３）と該保護枠（５ａ）（５ｂ）との各隙間が、ガゼットパウチ（Ｘ）が通過できる幅（β）を有するよう構成する。
【００２２】
また、前記下部強制変更手段（４）は、前記保護枠（５ａ）（５ｂ）に連接して設けられ、且つ、下段コンベア（２ｂ）の両端部からコンベア中央部に向かって狭くなる略ハ字状のフレームであり、向きを変えて縦向き〔図２（Ｂ）参照〕にした状態でガゼットパウチ（Ｘ）を中央付近に強制的に移動させるものである。
【００２３】
そして、前記下部強制変更手段（４）の他の例としては、ハ字状のフレームのそれぞれ先端が、相対向するフレームと平行に形成した平行フレームを設けたものであってもよく、それらフレームの素材は金属、合成樹脂、木材等である。
【００２４】
さらに、上段コンベア（２ａ）を搬送中の前記ガゼットパウチ（Ｘ）を、前記上部規制手段（３）により、強制的に反転・落下させ、下段コンベア（２ｂ）上には９０°反転させて落下させて搬送させるものである。
【００２５】
以上のように、この発明は、上段コンベア（２ａ）上を搬送中の各ガゼットパウチ（Ｘ）は、図２（Ａ）に示すように横向き方向で前方方向に搬送され、前方に進むに従って、上部強制変更手段（３）に当接し、該手段によって左右方向に強制的に方向を変更させられ、やがて、上段コンベア（２ａ）のそれぞれ両端から下段コンベア（２ｂ）上に落下する。
【００２６】
そして、下段コンベア（２ｂ）上に落下するガゼットパウチ（Ｘ）は、上段コンベア（１ａ）との段差（α）により、９０°向きを変えて落下し、図２（Ｂ）に示すように縦向きとなり、その状態で、下段コンベア（２ｂ）上を搬送され、下部強制変更手段（４）に当接し、中央部に集められ、その状態で次の工程に搬送されるものである。
【００２７】
さらに、縦向きに搬送されるガゼットパウチ（Ｘ）は、次の工程で、従来の上・下方向からの噴射ノズル（図示せず）を有するコンベア（図示せず）を通過することにより、ガゼットパウチ（Ｘ）の折り込み部分に溜まった水滴を除水出来るものである。
【産業上の利用可能性】
【００２８】
この発明である搬送中のガゼットパウチの自動向き変え方法の技術を確立し、実施することにより、産業上利用できるものである。
【符号の説明】
【００２９】
１  搬送コンベア装置
１ａ  フレーム枠
２  搬送コンベア
２ａ  上段コンベア
２ｂ  下段コンベア
３  上部強制変更手段
４  下部強制変更手段
５ａ  保護枠
５ｂ  保護枠
６ａ  上段コンベア駆動源
６ｂ  下段コンベア駆動源
Ｘ  ガゼットパウチ
α  段差
β  幅
【図１】
2017081579.tif 000003
【図２】
2017081579.tif 000004